(57)【特許請求の範囲】
【請求項１】
マットレーサーであって、
乗り手を収容するように構成されたマットであって、該乗り手を支持するように構成された乗り手面と乗り物床面又は滑り台面に接触するように構成された反対面とを含む前記マットと、
前記マットに結合された１又は２以上のハンドルと、
前記マット上に配置された機能モジュールであって、
前記機能モジュール上又は内に位置決めされた１又は２以上の光源、
前記１又は２以上の光源を駆動するように構成された光ドライブ、
前記光ドライブを制御する命令を格納するメモリ、
制御情報に基づいて前記命令を実行するように構成されたプロセッサ、及び
コントローラから無線信号を受信するように構成された送受信機であって、該無線信号が、前記１又は２以上の光源のための前記制御情報を含み、該制御情報が、前記乗り手から該コントローラへの入力に基づいており、該送受信機が、該乗り手とのマットレーサーの関連付けに基づいて該制御情報を受信するように構成される前記送受信機、
を含む前記機能モジュールと、
を含むことを特徴とするマットレーサー。
【請求項２】
前記機能モジュールは、マットレーサーから取り出し可能であることを特徴とする請求項１に記載のマットレーサー。
【請求項３】
前記マットは、前記機能モジュールを受け入れるように構成された開口部又はレセプタクルを含むことを特徴とする請求項１に記載のマットレーサー。
【請求項４】
前記機能モジュールは、防水性であることを特徴とする請求項１に記載のマットレーサー。
【請求項５】
前記マットは、該マットの端部が該マットの内部部分に対して隆起するように部分的に折り畳まれるか又は曲げられることを特徴とする請求項１に記載のマットレーサー。
【請求項６】
前記機能モジュールは、該機能モジュールが前記内部部分に対して隆起するように前記マットの前記端部と該内部部分の間の場所で該マット上に位置決めされることを特徴とする請求項５に記載のマットレーサー。
【請求項７】
前記機能モジュールは、スピーカ、録音機、又はカメラのうちの１又は２以上を含むことを特徴とする請求項１に記載のマットレーサー。
【請求項８】
前記１又は２以上の光源は、ハウジング内に密封されることを特徴とする請求項１に記載のマットレーサー。
【請求項９】
前記１又は２以上の光源は、オンにされた時に該１又は２以上の光源が前記反対面に向けて照らすように前記機能モジュール内又は上に位置決めされることを特徴とする請求項１に記載のマットレーサー。
【請求項１０】
前記１又は２以上の光源は、複数の光源を含み、該複数の光源のうちの各光源が、異なる色であることを特徴とする請求項１に記載のマットレーサー。
【請求項１１】
前記１又は２以上の光源は、色変更又は調整可能光源を含むことを特徴とする請求項１に記載のマットレーサー。
【請求項１２】
前記機能モジュールは、前記１又は２以上の光源に結合された充電式電源を含むことを特徴とする請求項１に記載のマットレーサー。
【請求項１３】
乗り手を収容するように構成されたマットであって、該乗り手を支持するように構成された乗り手面と乗り物床面又は滑り台面に接触するように構成された反対面とを含む前記マットと、
前記マットに結合された１又は２以上のハンドルと、
前記マット上に配置された機能モジュールであって、該機能モジュール上又は内に位置決めされた１又は２以上の光源を含み、
前記１又は２以上の光源を駆動するように構成された光ドライブ、
前記乗り手によって着用された着用可能デバイス装置と通信して該着用可能デバイスに関連付けられた情報を受信するように構成された送受信機、
前記光ドライブを制御する命令を格納するメモリ、及び
前記着用可能デバイスに関連付けられた前記情報に少なくとも部分的に基づいて前記１又は２以上の光源を起動する命令を含む前記命令を実行するように構成されたプロセッサ、
を含む前記機能モジュールと、
を含むことを特徴とするマットレーサー。
【請求項１４】
前記機能モジュールは、ユーザ入力を受信するように構成され、前記プロセッサは、前記ユーザ入力に基づいて前記命令を実行する、ことを特徴とする請求項１３に記載のマットレーサー。
【請求項１５】
前記プロセッサは、第２のユーザ入力に基づいて前記命令の実行を停止し、前記命令を停止することが、前記１又は２以上の光源を非アクティブ化する、ことを特徴とする請求項１４に記載のマットレーサー。
【請求項１６】
前記プロセッサは、前記送受信機によって受信された停止信号に基づいて前記命令の実行を停止し、
前記命令を停止することが、前記１又は２以上の光源を非アクティブ化する、ことを特徴とする請求項１３に記載のマットレーサー。
【請求項１７】
前記プロセッサは、タイマーの満了に基づいて前記命令の実行を停止し、前記命令を停止することが、前記１又は２以上の光源を非アクティブ化する、ことを特徴とする請求項１３に記載のマットレーサー。
【請求項１８】
前記タイマーは、平均乗り物実行時間に対応する時間の長さに対して設定されることを特徴とする請求項１７に記載のマットレーサー。
【請求項１９】
前記命令は、前記１又は２以上の光源を第１の光パターンで駆動する第１の命令と該１又は２以上の光源を第２の光パターンで駆動する第２の命令とを含むことを特徴とする請求項１３に記載のマットレーサー。
【請求項２０】
前記プロセッサは、前記送受信機によって受信された信号に基づいて前記第１の命令又は前記第２の命令を実行することを特徴とする請求項１９に記載のマットレーサー。
【請求項２１】
前記１又は２以上の光源は、複数の光源を含み、
前記第１の光パターンは、前記複数の光源のうちの個々の光源の第１の順序での起動を含み、
前記第２の光パターンは、前記複数の光源のうちの個々の光源の第２の順序での起動を含む、
ことを特徴とする請求項１９に記載のマットレーサー。
【請求項２２】
前記機能モジュールは、音声データを再生するように構成されたスピーカを含むことを特徴とする請求項１３に記載のマットレーサー。
【請求項２３】
前記メモリは、１又は２以上の音声ファイルに前記音声データを格納することを特徴とする請求項２２に記載のマットレーサー。
【請求項２４】
前記音声ファイルは、ユーザによって選択可能であることを特徴とする請求項２３に記載のマットレーサー。
【請求項２５】
前記送受信機は、前記音声データを無線で受信するように構成されることを特徴とする請求項２２に記載のマットレーサー。
【請求項２６】
前記スピーカは、前記乗り手から音声データを取り込み、かつ該乗り手からの該音声データを前記メモリに格納するように構成されることを特徴とする請求項２２に記載のマットレーサー。
【請求項２７】
前記１又は２以上のハンドルは、心拍センサを含み、
前記光ドライブを制御する前記命令は、前記心拍センサからの入力に応答する、ことを特徴とする請求項１３に記載のマットレーサー。
【請求項２８】
前記１又は２以上の光源は、前記乗り手の心拍数に関連する速度でパルス駆動するように構成されることを特徴とする請求項２７に記載のマットレーサー。
【請求項２９】
前記１又は２以上の光源は、紫外線光源を含み、
前記紫外線光源を駆動する前記命令は、前記乗り物床面上の蛍光効果に関連付けられた推定時間に基づいている、
ことを特徴とする請求項１３に記載のマットレーサー。
【請求項３０】
前記メモリは、前記送受信機を通じて前記乗り手からの前記音声データを他のマットレーサーに通信する命令を格納することを特徴とする請求項２６に記載のマットレーサー。
【請求項３１】
前記着用可能デバイスは、無線周波数信号エミッタを含み、
前記着用可能デバイスに関連付けられた前記情報は、前記無線周波数信号エミッタから受信されるように構成される、
ことを特徴とする請求項１３に記載のマットレーサー。
【発明の詳細な説明】
【技術分野】
【０００１】
本発明の開示は、一般的に遊園地の分野に関する。より具体的には、本発明の開示の実施形態は、遊園地体験を提供するのに利用される方法及び機器に関する。
【背景技術】
【０００２】
ウォーターパークは、バンパー乗り物又はいかだ乗り物、ウォーター滑り台、丸太乗り物、ウォーターコースター、及びレイジーリバーを含む遊園地訪問者のための様々な乗り物体験を提供しようとしている。ウォーターパークアトラクションは、乗り物車両の存在及び／又はそのタイプによって分類することができる。例えば、子供のバンパーいかだ乗り物は、柔らかい膨張可能なゴムいかだを用いて実施することができ、一方、ウォーターコースター乗り物は、非ウォーターローラーコースターにおけるものと同様のかつ肩越しハーネス拘束を提供する金属自動車又はかご型乗り物車両を用いて実施することができる。ウォーター滑り台又は滑走台のような他の乗り物は、いずれのタイプの車両も有していない場合がある。すなわち、遊園地訪問者は、いずれのタイプの拘束物又は車両内にも囲まれることなく乗り物を楽しむ。そのような乗り物は、ウォーター滑走台を滑り落ちる訪問客は類似の速度で進行する車両内に作り出すことができる感覚と比較して増強された速度の感覚を有することができるので、訪問客に喜びを与えることができる。しかし、乗り物車両を用いて実施される乗り物は、乗り物の物語性を強めるために乗り物と共に作動する乗り物熱中効果を提供するためのより大きい機会を有する場合がある。例えば、乗り物は、乗っている間の指定された場所でトリガするように設計された音響又は移動効果（例えば、振動又は旋回）を提供することができる。
【発明の概要】
【課題を解決するための手段】
【０００３】
オリジナルに主張する主題に範囲が同等のある一定の実施形態を以下に要約する。これらの実施形態は、本発明の開示の範囲を限定するように意図せず、むしろこれらの実施形態は、ある一定の開示の実施形態の簡単な概要を提供することのみを意図している。実際に、本発明の開示は、以下に示す実施形態と類似か又は異なる場合がある様々な形態を包含することができる。
【０００４】
一実施形態により、マットレーサーを提供する。マットレーサーは、乗り手を収容するように構成されたマットを含み、マットは、乗り手を支持するように構成された乗り手面と、乗り物床面又は滑り台面に接触するように構成された反対面とを含む。マットレーサーはまた、マットに結合された１又は２以上のハンドルと、マットに結合されて１又は２以上の光源を含む機能モジュールとを含む。
【０００５】
別の実施形態により、方法を提供する。本方法は、マットレーサーの開口部に第１の機能モジュールを挿入する段階を含み、第１の機能モジュールは、１又は２以上の光源を含む第１の照明ユニットと、第１の照明ユニットに結合された第１の電源とを含む。本方法はまた、マットレーサーの開口部から第１の機能モジュールを取り出す段階と、マットレーサーの開口部に第２の機能モジュールを挿入する段階とを含み、第２の機能モジュールは、１又は２以上の照明を含む第２の照明ユニットと、第２の照明ユニットに結合された第２の電源とを含む。
【０００６】
別の実施形態により、システムを提供する。システムは、乗り手を収容するように構成された複数のマットと、マットに交換可能に結合するように構成された複数の機能モジュールとを含み、複数の機能モジュールの各個々の機能モジュールは、１又は２以上の光源を含む。
【０００７】
本発明の開示のこれら及び他の特徴、態様、及び利点は、図面を通して同じ文字が同じ部分を表す添付図面を参照して以下の詳細説明を読むとより良く理解されるであろう。
【図面の簡単な説明】
【０００８】
【図１】本発明の技術による機能的マットレーサーを含むウォーターパークアトラクションの斜視図である。
【図２】本発明の技術による前面機能モジュールを含む機能的マットレーサーの実施形態の斜視図である。
【図３】機能モジュールが解除構成にある図２の機能的マットレーサーの斜視図である。
【図４】図３の機能モジュールの一部分の詳細図である。
【図５】本発明の技術によりハンドル内に一体化された機能モジュールを含む機能的マットレーサーの正面斜視図である。
【図６】図５の機能的マットレーサーの背面斜視図である。
【図７】本発明の技術による切り離された部分を含む機能的マットレーサーの側面斜視図である。
【図８】本発明の技術により機能的マットレーサーと共に使用することができる機能モジュールのブロック図である。
【図９】本発明の技術により機能的マットレーサーと共に使用することができる機能モジュールのブロック図である。
【図１０】本発明の技術により機能的マットレーサーと共に使用することができる機能モジュールのブロック図である。
【図１１】本発明の技術により機能的マットレーサーのためのモジュールを変更する方法の流れ図である。
【図１２】本発明の技術により機能的マットレーサーのためのモジュールを作動させる方法の流れ図である。
【図１３】本発明の技術による機能的マットレーサーを用いた多車線ウォーター滑り台レーシング乗り物の斜視図である。
【発明を実施するための形態】
【０００９】
本発明の開示は、遊園地乗り物と共に使用することができる機能的マットレーサーを提供する。ウォーター滑り台及び滑走台は、典型的に、乗り手が足を最初に入れ、これが滑り台の旋回に従って乗り手を位置合わせするように、かつ同じく乗り物の終わりに足が最初にプールに入るように設計される。しかし、一部のウォーター滑り台又は滑走台は、例えば、乗り手が前方向き方向に滑り落ちることを可能にする構造をマットレーサーと共に使用するように設計される。いかだ又は他の車両とは対照的に、マットレーサーは、拘束力が最小であり、乗り手に滑り台の面により近く感じさせ、これは、次に、車両ベースの乗り物と比べて比較的より低速でより速くかつよりスリルを体感させる。これに加えて、マットレーサーは、乗り手の顔から水をよけるシールドを設けることができ、これは、次に、乗り手がマットなし及び足が先の乗り物に比べて類似の熱中レベルで乗り物を楽しむことを可能にする。
【００１０】
本明細書では、乗っている間に作動するモジュール式及び／又は一体型の機能的特徴を含むレーサーを提供する。例えば、一実施形態では、機能的マットレーサーは、マットの前方の水中に光を放出してマットレーサーの周りに近い区域を照らす機能モジュールを含むことができる。光は、特に乗り物の暗いセクションでは、光の床上を滑る感覚を与えることができる。このようにして、乗り物体験は、乗り手拘束を導入し、又は乗り手をマット自体よりも面からより分離する場合がある特徴を追加することなく強化される。これに加えて、光は、乗り物が進行する時に近くの観光客に見える場合があり、追加の視覚的な興味を生成する。特定の実施形態では、マットレーサーの機能的特徴は、乗り物自体の個々の特徴とは独立した方式で起動することができる。すなわち、機能モジュールが起動した状態で（それは、ユーザのフィードバック又は乗り物起動信号の結果として生じる場合がある）、様々な機能的特徴は、作動に影響を及ぼす乗っている間の追加のフィードバック又は信号の起動なしに乗り物を通して起動するように計時される。他の実施形態では、乗り物及びマットレーサー（例えば、モジュール又は一体型機能構成要素）は、一方向方式又は双方向方式で通信し、マットレーサーの作動に影響を及ぼすことができる。更に、ある一定の実施形態では、乗り手は、機能的マットレーサーの機能的特徴を選択するための入力を与えることができる。
【００１１】
開示の実施形態は、一般的に、ウォーター乗り物、ウォーター滑り台、又はウォーター構成要素を含む乗り物との関連で説明するが、本明細書で提供する機能的マットレーサーは、他の状況かつ非ウォーターベースの乗り物と共に使用可能でもあることを理解しなければならない。例えば、機能的マットレーサーは、水を保持しない滑り台上で使用することができる。更に、水に加えて又は水の代わりに、機能的マットレーサーは、泡、他の液体、雪などを特徴とする乗り物と共に使用することができる。一例では、本明細書に開示する機能的マットレーサーは、雪そりとして実施することができる。従って、マットの特定の構成（例えば、材料、形状、サイズ）は、望ましい最終用途に応じて実施することができる。更に、機能的マットレーサーは、乗り手を足が先又は頭が先の向きで収容するように実施することができる。
【００１２】
図１は、機能的マットレーサー１２を含むウォーター乗り物システム１０の斜視図である。一実施形態では、ウォーター乗り物システム１０は、ウォーター滑り台１４又は滑走台１４を有する機能的マットレーサー１２の使用を容易にするように実施することができる。機能的マットレーサー１２は、乗り手２０を支持するマット１６を含む。乗り手２０は、一般的に、マット１６の乗り手支持面２２上に載り、一方、マット１６の反対面２４は、乗り物面２８（例えば、ウォーター滑り台の面）又は水３０の一方又は両方と直接に接触する。このようにして、乗り手２０は、乗り物を高速度で進行させる間、乗り物面２８に対して緩衝が与えられる。機能的マットレーサー１２はまた、１又は２以上のハンドル３２のような乗り手の快適性又は制御のための追加の特徴を含むことができる。マット１６は、比較的可撓性の材料又は比較的剛性の材料を含むあらゆる適切な材料から形成することができる。
【００１３】
機能的マットレーサー１２はまた、乗り物体験を強化する機能を促進するように構成された機能モジュール３６を含む。図示の実施形態では、機能モジュールは、水３０中に光（破線４０に示す）を向ける１又は２以上の光源を含む。このようにして、乗り手２０が乗り物を進む時に、乗り手の周りに乗り物の経路が照明される。光４０と水３０の相互作用は、乗り手２０に対して心地よい視覚効果をもたらす。例えば、光４０の効果は、乗り手２０が光の面上を滑っているという視覚的印象をもたらすことができる。照明はまた、他の観客（例えば、待ち行列で待っており、乗り物を観ている客）に感動をもたらすことができる。乗り物は、トンネル４１のような透明な滑り部分を含むことによってこの効果を増大させることができ、透明部分は、機能的マットレーサー１２が滑り部分を進む時に光を屈折させる。一実施形態では、機能モジュール３６によって放出される光は、光源の色及び／又は周囲の乗り物の暗さに応じて、乗り物の少なくとも一部分に対して利用可能な照明の大部分を作り上げることができる。
【００１４】
機能モジュール３６は、照明機能を含むことに加えて、乗り物体験を高めるための追加の特徴を含むことができる。一実施形態では、機能モジュール３６は、前向き及び／又は乗り手向きのカメラを含み、乗り物静止画像又はビデオを取り込み、又は乗り手２０に特定の画像を提供して表示することができる。そのような画像は、乗り物体験と共に提供することができる。例えば、ある一定のテーマを有する画像を乗っている間のある一定の部分に与えることができる。別の実施形態では、機能モジュール３６は、乗っている間に音楽又は他の音響効果を演奏するスピーカを含むことができる。更に、これらの機能的特徴の全て又は一部は、乗り物体験を高めるために組み合わせる及び／又は同期させることができる。例えば、カメラは、乗り物に沿ってスリルがあるセクションを体験している乗り物内の他の乗り手の画像を表示し、一方、スピーカは、それらの乗り手から取り込まれた音声を再生して期待感を構築することができる。
【００１５】
図２は、機能的マットレーサー１２の斜視図であり、マット１６の曲った又は湾曲した前面部分４６に組み込まれた機能モジュール３６の実施形態を示している。ある一定の実施形態では、マットレーサー１２は、湾曲前面部分４６が前面シールドとして構成され、乗り手を水の飛散から保護するように実施することができる。機能モジュール３６は、例えばハンドル３２ａ、３２ｂの間に配置された湾曲前面部分４６内でマット１６に結合されるか又はこれと一体化することができる。このセクションは、乗り手支持面２２（及び反対面２４）に対して盛り上がっているので、機能モジュール３６は、マット１６上の他の位置に比べて磨耗及び裂け目又は浸水が少ない。更に、光源５０は、マットレーサー１２から外に光るように配置され、僅かに持ち上げられた時に広い区域を照らすことができる。従って、機能モジュール３６は、湾曲前面部分４６の湾曲を辿って全体的に湾曲した形状にすることができる。機能モジュール３６は、機能モジュール３６上又は内にあらゆる数の光源５０を含むことができる。例えば、光源５０は、行、列、又はアレイに配置することができる。
【００１６】
機能モジュール３６は、含まれる機能及び望ましい効果に応じてマット１６のいずれの適切な部分にも配置することができる。例えば、機能モジュールを湾曲前面部分４６の底部５２に向けて配置することにより、より劇的な光のショーのために、乗っている間に水中により一貫して位置決めされる光源５０が得られる。更に、機能モジュール３６は、含まれる特徴に応じて、あらゆる適切なサイズ又は形状とすることができる。例えば、少数の光源５０のみを含む比較的簡単な機能モジュール３６は、比較的小さくすることができ、より多くの光源５０及び／又はカメラ又はスピーカ機能のような追加特徴を含むより複雑な機能モジュール３６よりもマットレーサー１２上のより小さいフットプリントを覆うことができる。特定の実施形態では、機能モジュール３６は、湾曲前面部分４６の面積の５〜７５％を覆うことができる。
【００１７】
マット１６上の機能モジュール３６の位置決めにかかわらず、機能モジュール３６は、ウォーター乗り物に乗っている間に少なくとも部分的に水と接触するように構成することができる。従って、機能モジュール３６は、密封又は防水ユニットとして実施することができる。光源５０のような電子構成要素を保護するために、電子構成要素及び／又はあらゆる関連の制御システム構成要素は、ハウジング５４内に密封することができ、ハウジング５４は、光源５０からの光が通過して水面又は乗り物面上に至ることを可能にする半透明又は透明なスクリーン５６を含む。一実施形態では、ハウジング５４は、マット１６を形成するより従順な材料又は緩衝材料とは異なる弾性の防水材料から形成される。他の実施形態では、ハウジング５４は、より弾性の内部電子構成要素の周りにシールを形成する比較的従順な防水材料から形成することができる。ハウジング５４は、乗り手の快適さのために少なくとも部分的に詰め物をすることができる（例えば、光を放出しない各部分の周りに）。
【００１８】
特定の実施形態では、機能モジュール３６は、これがオペレータによって取り出されないように単一構造としてマット１６内に組み込むことができる。すなわち、機能モジュール３６は、マット１６に接合され、接着され、又は他に取外不能に結合することができる。そのような実施は、機能的マットレーサー１２の複雑さ及び保管を低減するために有利とすることができ、特にその理由は、マット１６が、機能モジュール３６に比べて比較的廉価に製造することができるためである。しかし、ある一定の実施形態では、機能モジュール３６は、取り出し可能なユニットとして実施することができ、取り出し可能なユニットは、例えば、充電、点検、改善などのためにオペレータによってマット１６から取り出すことができる。そのような実施は、比較的かさばるマットを収容する必要なく、機能モジュール３６の充電又は点検を可能にするので有利とすることができる。
【００１９】
図３は、機能モジュール３６がマット１６から取り出し可能である実施形態の斜視図である。マット１６は、機能モジュール３６を収容する大きさ及び形状を有するレセプタクル又は開口部５８を含む。開口部５８は、ハウジング５４の外部６２上の１又は２以上の特徴部に嵌まるフレーム６０によって形成することができる。図示の実施形態は、マット１６を貫通する開口部５８を示している。このような実施形態では、機能モジュール３６の背面６８は、フレーム６０に挿入された時に乗り手支持面２２上に見える。そのような実施では、乗り手向きのカメラは、乗っている間に乗り手の表情を取り込むために背面６８から外方に向くように位置決めすることができる。更に、機能モジュール３６がスピーカを含む場合に、背面５８にスピーカ及び／又はマイクロフォンを乗り手により近づくように配置することができる。他の実施形態では、開口部５８は、マット１６を完全に貫通する必要はなく、機能モジュールの背面６８は、開口部５８内に位置決めされた時にマット面に当接することができる。そのような実施形態では、背面６８は、マット１６上の相補的特徴部と嵌合する１又は２以上の嵌合特徴部を含むことができ、マット１６に対する機能モジュール３６の結合を容易にする。このような実施形態では、スピーカ及び／又はカメラが存在する時に、マットのより小さい孔又は開口部は、そのような特徴部に位置合わせされてカメラの視界が乗り手を含むことを可能にする。
【００２０】
図４は、フレーム６０（図３参照）の対応する溝に嵌まるような大きさ及び形状を有する隆起リッジ７０を示す機能モジュール３６のハウジング５４の外部６２の詳細図である。作動時に、機能モジュール３６は、フレーム６０内にスナップ留めされ、１又は２以上の乗り物の走路の上で確実に結合されることを保証することができる。機能的マットレーサー１２はまた、固定タブ、ストラップなどのような機能モジュール３６を定位置に保持する追加の固定特徴部を含むことができる。一実施形態では、機能モジュール３６は、乗り手技術者のみが取り出し可能であるために、乗り手による切離しを防止するためのロッキング特徴部を含むことができる。特定の実施形態では、機能モジュール３６はまた、電気コネクタ７２も含むことができ、電気コネクタ７２は、フレーム６０上の対応する特徴部に結合された時に機能モジュールの機能的特徴の起動を可能にする。このようにして、機能モジュール３６は、保管中又は非使用時に起動されることを防止することができる。
【００２１】
図５は、ハンドル３２に一体化された機能モジュール３６を含む機能的マットレーサー１２の配置の正面斜視図である。図示の配置では、光源５０は、マット１６の上部８０の上方に位置決めされる。図６の背面斜視図に示すように、ハンドル３２ａ及び３２ｂ、並びに機能モジュール３６は、単一アセンブリとして実施することができる。このような配置では、光源は、成形されたハンドルアセンブリの一部とすることができ、成形ハンドルは、ハンドル３２ａ及び３２ｂの両方に結合するブリッジ部分８２を含む。機能的マットレーサー１２の他の配置も考えられる。例えば、一実施形態では、機能的マットレーサー１２は、乗り手支持面２２に一体化された１又は２以上の半透明又は透明な区域を含むことができ、結果として光がマットの底部を通して見える。更に、機能的マットレーサー１２は、ほぼ平面又は平坦なマットとして実施することができ、機能モジュール３６は、前方マット終端に又はその近くに位置決めすることができる。更に、一部の実施形態では、光源は、マット１６の孔を貫通して延びることができる。別の実施形態では、ハンドル３２は、他の機能的特徴を含むことができる。例えば、ハンドル３２は、乗り手の一方又は両方の手との接触を通して乗り手の心拍数をモニタするように機能する１又は２以上の心拍センサを含むことができる。心拍数情報はまた、機能モジュール３６の光及び／又は音響特徴部に入力として与えることができる。従って、心拍センサは、機能モジュール３６に直接又は無線で結合され、心拍データを入力として提供することができる。一例では、光は、乗り手自身の心拍数に合わせてパルス駆動させることができる。
【００２２】
図７は、機能的部分が取り出し可能なユニットの一部である機能的マットレーサー１２の実施形態の側面斜視図である。例えば、機能的マットレーサー１２は、背面マット部分８８から分離可能な前面分離可能部分８６を含むことができる。前面分離可能部分８６は、機能モジュール３６、ハンドル３２ａ、３２ｂ、取り付けユニット９０、及びシールド部分９２を含む。シールド部分９２は、比較的剛性の材料、すなわち、プラスチック又はポリマーから形成することができる。ある一定の実施形態では、シールド部分９２は、比較的可撓性の材料から形成することができる。同様に、背面マット部分８８は、可撓性又はより剛性の材料から形成することができる。前面分離可能部分８６は、乗り物に使用するために背面マット部分８８に結合することができる。前面分離可能部分８６は、保管又は充電中に背面マット部分８８から分離され、充電又は保管ユニットをより小さくすることができる。
【００２３】
取り付けユニット９０は、前面分離可能部分８６を背面マット部分８８に結合するためのあらゆる適切なフォーマットで構成することができる。例えば、取り付けユニットは、間に背面マット部分８８を保持するように構成された上部ウイング９４及び底部ウイング９６を含むことができる。従って、上部ウイング９４及び底部ウイング９６は、背面マット部分８８に結合するか又はこれを把持することができる材料から形成することができる。一実施形態では、上部ウイング９４は、乗り手支持面２２に直接に接触し、底部ウイング９６は、反対面２４に直接に接触する。背面マット部分８８が定位置にある時に、取り付けユニット９０は、結合を保つためのある一定の特徴部を含むことができる。一実施形態では、上部ウイング９４及び底部ウイング９６は、互いに向けて付勢されて背面マット部分８８の挿入部を把持するバネ力を与えるように構成される。例えば、上部ウイング９４及び底部ウイング９６は、バネ力を有する単一曲げポリマーから形成することができる。別の実施形態では、上部ウイング９４及び底部ウイング９６は、ヒンジによって結合することができる。更に別の実施形態では、上部ウイング９４及び底部ウイング９６は、スナップ、ストラップ、又は他のロッキング特徴部で閉じることができる。上部ウイング９４及び底部ウイング９６は、背面マット部分８８を定位置に保持し、取り付けユニット９０に対する背面マット部分８８の滑りを防止するための把持特徴部９７（例えば、歯など）を含むことができる。更に、取り付けユニットは、背面マット部分８８に形成された通路９９に嵌合するように構成されたロッド９８を含むことができる。ロッドは、挿入された状態で定位置にロックすることができ、結果として乗り物技術者のみが上部ウイング９４と底部ウイング９６とを分離してロッド９８を除去し、前面分離可能部分８６と背面マットマット部分８８との結合を解除する。
【００２４】
図８は、機能モジュール３６の実施形態のブロック図である。機能モジュール３６は、ＬＥＤ、発光電気化学セル、又は他のあらゆる適切な光源を含むことができる１又は２以上の光源５０を含む。光源５０は、可視範囲及び／又は蛍光範囲の１又は２以上の色を放出する光を含む。１又は２以上の光源５０は、レンズ要素と、光駆動回路１００のような適切な回路とを含むことができる。光駆動回路１００は、メモリデバイス１０４を含む制御システム１０２によって制御され、メモリデバイス１０４は、本明細書に説明する方法及び制御アクションを実行するためにプロセッサ１０６によって実行可能な命令を格納する。プロセッサ１０６は、１又は２以上の処理デバイスを含むことができ、メモリ１０４は、１又は２以上の有形非一時的機械可読媒体を含むことができる。一例として、このような機械可読媒体は、ＲＡＭ、ＲＯＭ、ＥＰＲＯＭ、ＥＥＰＲＯＭ、又は他の光ディスクストレージ、磁気ディスクストレージ又は他の磁気ストレージ、又は他のあらゆる媒体を含むことができ、それらは、望ましいプログラムコードを機械実行可能な命令又はデータ構造の形態で実行又は格納するのに使用することすることができ、かつプロセッサ１０６により又はあらゆる汎用目的又は特殊目的のコンピュータ又はプロセッサを有する他の機械によってアクセス可能である。更に、機能モジュール構成要素は、電源１１０を通して給電することができる。電源１１０は、バッテリ（例えば、充電式バッテリ）とすることができる。電源１１０はまた、マット１６に一体化されたソーラーパネルに結合することができ、又は誘導的に充電されるように構成することができる。一実施形態では、マットレーサー１２は、運動を通じて電気を発生するように構成することができる。例えば、マットレーサー１２は、機能モジュール３６に埋め込まれた水車を含むことができ、水車は、回転して機能モジュール３６の電気構成要素に給電する電力を発生する。
【００２５】
光機能に加えて、機能モジュール３６は、音響及び／又は画像機能を含むことができる。図９は、１又は２以上のカメラ１１８を含む多機能機能モジュールの実施形態のブロック図である。カメラは、ビデオ又は静止画像を取り込むように構成することができる。機能モジュール３６の構成に応じて、カメラ１１８は、乗り手及び／又は機能的マットレーサー１２の経路の画像を取り込むことができる。取込画像は、メモリ１０４によって格納され、乗った後に乗り物体験へのアドオンとして取り出すことができる。この代わりに又はこれに加えて、画像は、他の乗り手に無線で送信するか又は配線され、遊園地周囲のスクリーンに表示することができ、それによって乗り手又は乗り物のリアルタイムの画像を実質的に示すことによって乗り物を販売促進する。機能モジュール３６はまた、音響効果又は音楽を演奏するためのスピーカ１２０と、乗り手からの音響を取り込むための関連の音声制御回路１２２及びマイクロフォン１２４とを含むことができる。
【００２６】
機能モジュール３６は、一方向通信又は双方向通信に関与するように構成することができる。図１０は、入力を無線で及び／又はオペレータから受信するように構成された機能モジュール３６のブロック図である。例えば、機能モジュール３６は、無線通信経路を通して通信するための送受信機１３０のような通信回路を含むように構成することができる。機能モジュール３６はまた、１又は２以上のユーザ入力デバイス１３２、ユーザ入力構造（例えば、ボタン又はスイッチ）又は入力／出力インタフェースのような乗り手との相互作用を可能にすることができる様々な構成要素も含むことができる。機能モジュールはまた、乗り手によって選択可能な画像を表示し及び／又はメニューオプションを表示するためのディスプレイ３４も含むことができる。例えば、乗り手は、乗り物のための特定の光パターン及び／又は歌トラックを選択することができる。図示の機能モジュール３６は、図８〜図９に示すような機能的特徴（例えば、照明）を含む場合があることを理解しなければならない。例えば、一実施形態では、機能モジュール３６は、光ショーを制御するための情報を無線信号から受信することができる。無線信号は、特定の乗り手に関連付けることができる。例えば、乗り手は、乗り物のために列に並んでいる間に選択キオスク又はモバイルデバイスから光ショー及び／又は音響ショーを選択することができる。乗り手は、次に、読取器をスワイプするか、又は他に特定のマットレーサー１２及びその対応する機能モジュール３６をそれらの乗り手情報に関連付けて、それによって光ショー／音響ショーを制御する情報を含む無線信号の機能モジュール３６へのダウンロードを開始する。一例では、機能モジュール３６は、光及び／又は音響を含まず、又は搭載型メモリに保持されたデフォルト光ショー及び／又は音響ショーのような限られた光情報及び／又は音響情報のみを含む場合があり、選択された情報を無線で受信することができ、それは、次に、乗り物の行程中に一時的メモリに格納することができ、かつ新しい乗り手毎にそれぞれ消去又は書込みすることができる。ある一定の実施形態では、情報は、機能モジュール３６が、乗り開始信号を受信してオンにされ、次に、無線信号を通して光情報及び／又は音響情報を受信し、続いて停止／中止信号を受信するように流される。リアルタイムストリーミングの例では、乗り手又は他の来客（例えば、要人又は列に並んでいる客）は、乗り物内の乗り手のための光効果又は音響効果をリアルタイムで制御することができる。そのような体験は、友人又は家族グループにとって楽しい場合がある。
【００２７】
図１１は、機能モジュール３６を充電又は点検に対して機能的マットレーサー１２から交換する方法１５０の流れ図である。方法１５０は、取り出し可能な機能モジュール３６を有する機能的マットレーサー１２と共に実行することができる。機能モジュール３６は、マット１６の開口部（例えば、図３の開口部５８参照）に挿入されてマット１６の本体に結合する（ブロック１５２）。機能モジュール３６を含む機能的マットレーサー１２は、次に、本明細書に与えるように作動される。例えば、機能的マットレーサー１２は、予め決められた点検又は電源供給時間が経過するまでの期間にわたって複数の乗り物に使用される（ブロック１５４）。一実施形態では、機能モジュール３６は、定期的な間隔、例えば、３ヶ月に１回点検するように計画される。別の実施形態では、機能モジュール３６の電源は、再充電が必要になる前のバッテリ寿命が既知である。機能モジュール３６は、点検が必要であるか又はバッテリ充電が少ないという表示を提示するように構成することができる。例えば、そのような表示は、表示画面上にテキストメッセージ又はアイコンとして提示することができ、かつある一定の点検時間又は給電時間に設定されたタイマーの満了によってトリガすることができる。機能モジュール３６は、再充電又は点検されるように計画されると、マット１６の本体から取り出され（ブロック１５６）、点検又は充電された機能モジュール３６は、次に、マット１６の定位置に結合される（ブロック１６０）。充電は、太陽、誘導、接続等とすることができる。このようにして、機能モジュール３６は、交換又は取り換えられ、完全に作動する及び／又は充電された機能モジュール３６を各乗り手に対して定位置に維持することができる。
【００２８】
ある一定の実施形態では、機能モジュール３６はまた、交換してその機能を変更することができる。例えば、音声機能を持たない個々の機能モジュール３６は、乗り物を改善した時に音声機能を有するものと交換することができる。別の実施形態では、乗り物は、夜間モード又は休日モードに入ることができ、かつテーマに合わせて構成された光の色及び／又はパターンを有する特別な機能モジュール３６を使用することができる。例えば、クリスマスシーズンに赤色及び緑色の光を放出する機能モジュール３６を使用することができ、又は特別な乗り物走行中に不可視光（すなわち、紫外線光）を有する機能モジュール３６を使用し、それによって水中の乗り物上、機能的マットレーサー１２上、又は乗り手自身上の面の蛍光材料を照らすことができる。機能モジュール３６の機能は、望ましい機能を達成するためにモジュールを物理的に取り換えるか又は交換して変更することができるが、機能モジュール３６は、多機能であって異なるモードで作動可能とすることができる。
【００２９】
作動時に、乗り物入口点（例えば、乗り物滑り台の上部での）にいる乗り手は、機能的マットレーサー１２を装着し、次に、乗り物を通して進行し、一方、機能モジュール３６の機能構成要素は、乗っていることを高める効果をもたらす。図１２は、乗り物と共に機能モジュール３６を起動する方法１７０の流れ図である。機能モジュール３６は、ユーザ入力を通じた場合がある起動信号を受信する（ブロック１７２）。例えば、起動信号は、ユーザ入力デバイス（例えば、ボタン又はスイッチ）の起動によってトリガすることができ、ユーザ入力デバイスは、乗り物の開始時に乗り手が機能的マットレーサー１２を装着する時に機能モジュール３６上で乗り手が容易にアクセス可能な場所に位置決めされる。一実施形態では、乗り物オペレータは、機能的マットレーサー３６を乗り手に与える時に機能モジュール３６を起動することができる。更に、機能的特徴は、機能的マットレーサー１２の収容及び乗り物の開始点まで上げる際のあらゆる遅延に対処する起動後のある一定の時間が経過した後で開始するように構成することができる。
【００３０】
パッシブな起動を与えて、ある一定の乗り手が機能モジュール３６を起動することを不注意で忘れること、又は機能モジュール３６の光効果、画像効果、及び／又は音響効果を乗り物の適切な要素に位置合わせさせることができない起動を防止することが有利とすることができる。この目的のために、起動信号は、機能モジュール３６によって受信される無線起動信号の形態にすることができる。例えば、起動は、乗り物の上部に位置決めされたデバイスによって放出されるか又は各乗り手が着用した遊園地識別ブレスレットによって放出される無線周波数信号とすることができる。起動信号はまた、センサ出力によってトリガすることができる。例えば、機能的マットレーサー１２上に配置されたセンサは、乗り物開始時にトリガされる光学、温度、化学、圧力、又は他のセンサタイプとすることができる。一実施形態では、圧力センサは、機能的マットレーサー上の乗り手２０の重量を感知して起動信号をトリガすることができる。
【００３１】
起動信号が機能モジュール３６によって受信された状態で、機能モジュール３６は、適切な機能を起動する（ブロック１７４）。例えば、光効果のみを含む比較的簡単なデバイスの場合に、起動信号は、光源５０の起動を駆動する。これに加えて又はこれに代えて、起動信号は、音楽効果又は音響効果の起動を駆動することができる。更に、起動信号は、画像表示及び／又はカメラ機能を起動することができる。特定の実施形態では、起動信号により、機能モジュール３６の制御システム（例えば、制御システム１０２）が光ドライブを駆動して１又は２以上の光源５０を起動する。別の実施形態では、起動信号により、制御システムは、プロセッサ（例えば、プロセッサ１０６）によって実行されるメモリ（例えば、メモリ１０４）からの複数の可能な命令の１つにアクセスする。例えば、乗り手は、メニュー入力又は選択入力から「休日」モード又は「冬」モードを選択することができ、それは、次に、関連の命令を選択し、関連する命令は、次に、赤色及び緑色の光パターンを起動するであろう。別の実施形態では、光の効果は、特定の乗り物テーマに関連付けることができる。例えば、乗り手は、特定のスポーツチーム又はスーパーヒーローに関連付けられたテーマを選択することができ、それは、次に、特定の色又は気分に関連付けることができる。命令は、個々の光源のためのアクティブ期間及び非アクティブ又は暗い期間の命令を含む各光源５０のための光駆動信号を含むことができる。
【００３２】
光源５０の数に応じて、所与の乗り物長さにわたる得られる可能な光パターンは、比較的複雑な場合がある。更に、各光源５０は、単一色に関連付けられた所与の波長帯域で光を放出することができるが、光源５０はまた、ある範囲の色に調節することができる。従って、命令はまた、光調整命令も含むことができる。光効果は、選択された特定のパターンに応じて、ある一定のモードでは比較的明るく、他のモードでは穏やかで平和的である。受信信号はパッシブ信号とすることもでき、乗り物のための制御システムは、時刻に基づいて光パターンを選択し（例えば、昼間と夜間を比べてより可視である光効果を選択する）、かつ機能モジュール３６によって受信された無線信号内に選択情報を与えることができることを理解しなければならない。
【００３３】
上述のように、起動信号はまた、選択された音楽効果に関する情報も含むことができる。一実施形態では、乗り手は、音楽を補完する光効果と自動的に関連付けられた乗り物のための特定の音楽トラックの中から情報を選択することができる。選択は、機能モジュール３６上の表示画面を通して入力することができ、又は乗り手が乗ることを待っている間に乗り物キオスク又はターミナルで選択することができる。情報は、次に、乗り手の遊園地識別ブレスレットに関連付けることができる。乗り物の開始時にブレスレットが読取器によって読み取られると、情報は、次に、機能モジュール３６に送信される。送信情報は、選択された音響ファイル又はデータを含むことができる。これに代えて又はこれに加えて、機能モジュール３６は、音楽データと適合した光効果のための関連の命令とを含む音響ファイルのライブラリを格納することができる。例えば、アップビート又は高速の音楽トラックは、音楽のビートに適合した光パターンを有することができる。トラックも、時刻、年月日、又はマット１６の色に基づいてパッシブに（例えば、ユーザ入力なしで）決定することができる。同様に、機能モジュール３６は、カメラ機能又は表示機能に関連する信号を受信することもできる。利用可能な光及び／又は音響パターンは、乗り物自体の様々な特徴部と位置合わせされるように計時することができる。例えば、光は、滑り台内の湾曲中に点滅し、又は光は、蛍光塗料で被覆した滑り台の区域内で紫外線に移ることができる。
【００３４】
非アクティブモードでの機能モジュール３６の保管のために機能構成要素をオフにするために、機能モジュール３６はまた、アクティブ機能構成要素の非アクティブ化をトリガする（ブロック１７８）非アクティブ化信号も受信する（ブロック１７６）。例えば、非アクティブ化信号は、光源５０の非アクティブ化をトリガすることができる。一実施形態では、非アクティブ化信号は、乗り物の平均実行時間に設定されたタイマーの満了時に提供される。別の実施形態では、非アクティブ化信号は、受信機（例えば、受信機１３０）に無線で送信される。更に別の実施形態では、非アクティブ化信号は、オン／オフボタンのようなユーザ入力構造の起動によってトリガすることができる。乗り手は、乗り物が完了した後に、機能モジュール３６を充電ステーションに保管することができる保管設備に機能的マットレーサー１２を戻す。一実施形態では、充電ステーションは、誘導充電ステーションとすることができる。別の実施形態では、電源（例えば、電源１１０）は、別々に保管して充電するためにモジュール式で機能モジュール３６から取り出し可能にされる。
【００３５】
ウォーター乗り物は、同じ期間にわたって乗り物上のそれぞれの機能的マットレーサー１２に複数の乗り手を収容することができるように複数の走路を用いて実施される。図１３は、複数の走路１９０を含むウォーター乗り物システム１０の斜視図である。ウォーター乗り物システム１０はまた、機能的マットレーサー１２（例えば、機能的マットレーサー１２ａ、１２ｂ、１２ｃ、及び１２ｄ）と通信するように構成された送受信機２００を含む。送受信機２００は、一方向方式で通信して起動信号を送信し、機能モジュール３６（例えば、機能モジュール３６ａ、３６ｂ、３６ｃ、及び３６ｄ）をオンにすることができる。別の実施形態では、通信は、ハンドシェイクの形態で行われる場合があり、各個々の機能モジュール３６は、識別情報を送受信機２００に与えることができる。起動信号は、識別情報及びあらゆる乗り手固有の機能選択に基づいて符号化することができる。ウォーター乗り物システム１０は、端末送受信機２０２が非アクティブ化信号を提供することを含む追加の命令を提供する追加のセンサ及び送受信機を走路に沿って含む。ウォーター滑り台がレースとして実施される一実施形態では、第１の場所に位置決めされた機能的マットレーサー１２ｃは青色光を放出し、一方、第２の場所の機能的マットレーダー１２ｄは赤色光を放出することができる等々である。このようにして、機能性マットレーサー１２は、乗り物の走路にわたってそれらの乗り手にフィードバックを提供する。別の実施形態では、起動信号は、乗り物上のそれらの位置にかかわらず、全ての乗り手を青色光に、次に赤色光に、次に緑色光に同時に切り換える命令を含むことができる。
【００３６】
本発明のある一定の特徴のみを本明細書に図示かつ説明したが、当業者には多くの修正及び変更が想起されるであろう。従って、添付の特許請求の範囲は、全てのそのような修正及び変更を本発明の真の精神に含まれるとして網羅するように意図していることは理解されるものとする。ある一定の開示の実施形態は、遊園地又はテーマパークとの関連で開示したが、ある一定の実施形態は、他の用途にも関連する場合があることを理解しなければならない。更に、開示の実施形態のある一定の要素は、互いに組み合わせるか又は交換することができることを理解しなければならない。
【符号の説明】
【００３７】
１０  ウォーター乗り物システム
１２  機能的マットレーサー
１４  ウォーター滑り台
３６  機能モジュール
４０  光
【図１】
0006378845.tif 000002
【図２】
0006378845.tif 000003
【図３】
0006378845.tif 000004
【図４】
0006378845.tif 000005
【図５】
0006378845.tif 000006
【図６】
0006378845.tif 000007
【図７】
0006378845.tif 000008
【図８】
0006378845.tif 000009
【図９】
0006378845.tif 000010
【図１０】
0006378845.tif 000011
【図１１】
0006378845.tif 000012
【図１２】
0006378845.tif 000013
【図１３】
0006378845.tif 000014